(57)【特許請求の範囲】
【請求項１】
母屋又は小梁に複数のタイトフレームを介して下折板屋根材が敷設され、
屋根勾配方向の端部同士が接続された複数の上折板屋根材が、支持具を介して下折板屋根材に敷設された二重折板屋根構造であって、
前記上折板屋根材の接続部分は、平面視においてタイトフレームからずれて位置する接続部分を含んでおり、
前記上折板屋根材を支持する前記支持具は、
前記下折板屋根材における前記タイトフレームの存在する位置に取り付けられて前記接続部分又はそれ以外の部分を支持する第１の支持具と、
前記下折板屋根材における前記タイトフレームの存在しない位置に取り付けられて前記接続部分を支持する第２の支持具と
を具備するものである
ことを特徴とする二重折板屋根構造。
【請求項２】
前記下折板屋根が既設の折板屋根材であり、
前記上折板屋根材が、下折板屋根材を覆うように新設された折板屋根材である
ことを特徴とする請求項１記載の二重折板屋根構造。
【発明の詳細な説明】
【技術分野】
【０００１】
本発明は、二重折板屋根構造に関する。
【背景技術】
【０００２】
従来、下折板屋根材の上に上折板屋根材が葺設され、折板屋根材が上下に隔設された二重折板屋根構造が知られている（例えば特許文献１参照）。
【０００３】
この特許文献１記載の二重折板屋根構造は、小梁又は母屋（以下、母屋等という）上にタイトフレームが載設されると共にこのタイトフレーム上に下段の折板屋根材が設置され、タイトフレームの上方に取り付けられた支持具を介して上段の折板屋根材が設置されている。タイトフレームは、母屋等に載設されることで、当該母屋等のピッチと同じピッチで、互いに平行となるよう並設されている。
【０００４】
ところで、折板屋根材は、屋根勾配方向（つまり流れ方向）に継ぎ目なく葺設されるのが一般的である。一方、この折板屋根材を輸送するために、通常トラックが使用されるが、このトラックは、その全長が法上制限されている（道路法第４７条，車両制限令第３条）。このため、流れ方向に継ぎ目なく折板屋根材を葺設するには、例えば、屋根の流れ方向の長さに応じて、次のようにして施工する。
【０００５】
屋根の流れ方向の長さが所定の長さよりも短い場合、折板屋根材をトラックに積載することができるので、折板屋根材を工場等で成形したうえで現場に搬入することが可能となる。したがって、予め成形した折板屋根材を現場に搬入し、この折板屋根材を用いて施工を行なう。
【０００６】
一方、屋根の流れ方向の長さが所定の長さを超える場合には、車両長さに制約があるため、成形された折板屋根材をトラックに積載することができない。このためこの工法では、あらかじめ工場等で折板屋根材を成形したうえで輸送することができなかった。
【０００７】
そこでこの場合、現場にロール成形機を搬入することで対応する。すなわち、例えばフープ材を現地に搬入し、現場に設置されたロール成形機を用いて、現場で折板屋根材を成形する。これにより長尺の折板屋根材が必要になる場合においても、現場で折板屋根材を成形しながら屋根葺き作業を行なうことができ、長尺の折板屋根を葺くことが可能となる。
【先行技術文献】
【特許文献】
【０００８】
【特許文献１】特開２００１−１３２１７２号公報
【発明の概要】
【発明が解決しようとする課題】
【０００９】
ところがこのロール成形機は、フープ材等の長尺の金属板を順次連続的に加工するものであるため、その長さ方向寸法が金属板搬送方向に長くなってしまう。このため、ロール成形機を設置するためには、相当な大きさの設置場所が必要となる。ところが現場によっては、この設置場所を確保することができない。
【００１０】
このような問題点を解消するため、トラックにて運搬可能な長さの折板屋根材を複数使用し、これらを流れ方向に連結することが考えられた。トラックにより運搬可能な長さに折板屋根材を成形したうえで現場に搬入するようにすれば、ロール成形機を現場に搬入する必要がなくなり、しかも折板屋根材の長さが短いため施工者が扱い易い。
【００１１】
一方、折板屋根材を流れ方向に連結させた場合、この連結部分における強度が低下するという問題が生ずる。そこでこの強度低下の問題を解消するため、次のように施工する。
【００１２】
折板屋根材の長さ方向の端部がタイトフレームの丁度上方に位置するように、折板屋根材の長さ方向の寸法を決定して折板屋根材を成形する。そして長さ方向に折板屋根材を連結した際、この連結した部分をタイトフレームの上方に取り付けられた支持具によって支持固定する。このように、折板屋根材をタイトフレームのピッチに合わせた設計寸法にて成形することで、折板屋根材の連結部分を支持具によって支持できるようにし、これにより当該連結部分の強度低下を防いでいた。
【００１３】
ところが実際の建物は、タイトフレームが設置される母屋等のピッチが不規則な場合がほとんどである。このためタイトフレームのピッチも不規則となってしまう。タイトフレームのピッチが不規則となると、折板屋根材の設計上の寸法もタイトフレーム間の寸法に応じて変化してしまう。このため折板屋根材を工場等において生産するには、折板屋根材の長さの種類が多く必要であり、生産性が悪いという問題があった。
【００１４】
本発明は、上記事情に鑑みてなされたものであり、その目的とするところは、上折板屋根材の長さの種類をできるだけ少なくし、生産性を向上させた二重折板屋根構造を提供することにある。
【課題を解決するための手段】
【００１５】
本発明の二重折板屋根構造は、母屋又は小梁に複数のタイトフレーム６を介して下折板屋根材１１が敷設され、屋根勾配方向の端部同士が接続された複数の上折板屋根材４が、支持具５を介して下折板屋根材１１に敷設された二重折板屋根構造であって、前記上折板屋根材４の接続部分は、平面視においてタイトフレーム６からずれて位置する接続部分を含んでおり、前記上折板屋根材４を支持する前記支持具５は、前記下折板屋根材１１における前記タイトフレーム６の存在する位置に取り付けられて前記接続部分又はそれ以外の部分を支持する第１の支持具５５と、前記下折板屋根材１１における前記タイトフレーム６の存在しない位置に取り付けられて前記接続部分を支持する第２の支持具５６とを具備するものであることを特徴とする。
【００１６】
このような構成によれば、不規則なピッチでタイトフレーム６が並設されたとしても、そのタイトフレーム６の位置に拘らず、上折板屋根材４を所定長さに保ったまま、強度を保持して上折板屋根材４を設置することができる。すなわちタイトフレーム６が上折板屋根材４の長手方向におけるどの位置に位置していても、それに依存することなく上折板屋根材４の設計長さを決定することができるため、上折板屋根材４の長さの種類を減らすことができる。
【００１７】
また本発明の二重折板屋根構造は、前記下折板屋根材１１が既設の折板屋根であり、前記上折板屋根材４が、下折板屋根材１１を覆うように新設された折板屋根材であることが好ましい。
【発明の効果】
【００１８】
本発明の二重折板屋根構造によれば、上折板屋根材の長さの種類をできるだけ少なくし、生産性を向上させることができる。
【図面の簡単な説明】
【００１９】
【図１】本実施形態の二重折板屋根構造を説明するための図であり、（ａ）は平面図であり（ｂ）は正面図である。
【図２】（ａ）（ｂ）は、本実施形態の二重折板屋根構造の接続部を説明するための断面図である。
【図３】本実施形態の二重折板屋根構造の要部正面図である。
【図４】本実施形態の二重折板屋根構造の第１の上折板屋根材と第２の上折板屋根材と第４の上折板屋根材の分解斜視図である。
【図５】本発明の他例の二重折板屋根構造を説明するための図であり、（ａ）は平面図であり（ｂ）は正面図である。
【図６】従来の二重折板屋根構造を説明するための図であり、（ａ）は平面図であり（ｂ）は正面図である。
【発明を実施するための形態】
【００２０】
以下、本発明の実施形態について添付図面に基づいて説明する。
【００２１】
本実施形態の二重折板屋根構造は、既設の下折板屋根１を改修するため当該下折板屋根１の上に新設の上折板屋根２を葺き替えたものである。本実施形態の二重折板屋根構造は、下折板屋根１の上に、全面に亘って略一定に形成された隙間を介して上折板屋根２が葺設され、上下２段となるよう構成されている。本実施形態の二重折板屋根構造は、不規則なピッチで並設された小梁又は母屋（以下、母屋等７という）の上にタイトフレーム６が載設され、このタイトフレーム６上に上下２段の折板屋根材が葺設されている。
【００２２】
タイトフレーム６は、母屋等７の上に載設され下折板屋根１を固定するための部材である。本実施形態のタイトフレーム６は、図３に示されるように、断面略Ｕ字形状の下折板屋根材１１が嵌め込まれる谷部６１と、母屋等７の長手方向に沿って隣接配置された下折板屋根材１１の端縁同士をはぜ継ぎ固定する部分となる山部６２とを備えている。またタイトフレーム６は、山部６２及び谷部６１を母屋等７の上面に固定する固定部（図示せず）をさらに備えている。本実施形態のタイトフレーム６は、山部６２と谷部６１とが交互に連設されており、長手方向の両端に固定部が連設されている。タイトフレーム６は、帯状の金属板を曲げ加工することにより形成される。
【００２３】
タイトフレーム６は、山部６２の頂部に吊子６３が取り付けられている。この吊子６３は、母屋等７の長手方向に沿って並ぶように配置された下折板屋根材１１間に位置しており、当該下折板屋根材１１の端縁同士をはぜ締めする際に共にはぜ締めされて、下折板屋根材１１を固定する。
【００２４】
このタイトフレーム６は、母屋等７の長手方向に沿って略直線状に載設される。これによりタイトフレーム６は、母屋等７と略同じピッチで、且つその長手方向が互いに略平行となるようにして配置固定される。
【００２５】
下側に葺設される下折板屋根１は、屋根勾配方向（つまり流れ方向）に長い下折板屋根材１１が、流れ方向とは直角な方向に並ぶように複数配置され、この下折板屋根材１１の隣接する端部同士が連結されることで構成されている。なお本実施形態の下折板屋根１は、改修前の既設の折板屋根により構成されている。
【００２６】
下折板屋根材１１は、帯状の鋼板を断面略Ｕ字形状に曲げ加工することで形成される。下折板屋根材１１は、図３に示されるように、タイトフレーム６の谷部６１の底面に沿って配置される底面部１２と、この底面部１２における長さ方向に直角な方向の両端から上方に向けて連設された一対の立設部１３と、この立設部１３の突出端縁から延設されたはぜ継ぎ片１４とを備えている。下折板屋根材１１の立設部１３は、上方ほど対向間の距離が大きくなるよう傾斜しており、タイトフレーム６の山部６２に沿って配置される。このような下折板屋根材１１は、底面部１２と立設部１３とはぜ継ぎ片１４とが、曲げ加工により一体に形成されている。
【００２７】
本実施形態の母屋等７は、互いに略平行となるよう複数並設されている。本実施形態の母屋等７は、図１に示されるように、各母屋等７の中心間寸法が、それぞれ異なっており、不規則なピッチとなっている。母屋等７は、既存の屋根下地材であり、例えば、Ｈ型綱やＣ型綱やリップ溝型綱などにより構成されている。
【００２８】
下折板屋根材１１を葺設するには、例えば次のように施工する。
【００２９】
施工者はタイトフレーム６を母屋等７に載設する。このとき、母屋等７の長手方向とタイトフレーム６の長手方向とを同一方向に向けた状態で、略一直線状にタイトフレーム６を設置する。これによりタイトフレーム６は、母屋等７の長手方向に直角な方向に離設され、当該タイトフレーム６の長手方向が、隔設された別のタイトフレーム６と略平行となる。なおこのタイトフレーム６が離間して並ぶ方向（すなわち、タイトフレーム６の並設方向）は、屋根勾配方向と同方向となる。
【００３０】
次いで施工者は、略Ｕ字状の下折板屋根材１１を、離設されたタイトフレーム６間を架け渡すようにして、当該タイトフレーム６の谷部６１内に嵌入して設置する。このとき下折板屋根材１１は、その長さ方向が、タイトフレーム６の並設方向と同じ方向となるよう配置される。
【００３１】
その後施工者は、設置した下折板屋根材１１に対し、タイトフレーム６の長手方向に並ぶよう別の下折板屋根材１１を配置する。この後、隣接配置された両下折板屋根材１１を、はぜ継ぎ片１４を介してはぜ継ぎ固定する。このとき、タイトフレーム６の山部６２に取り付けられた吊子６３も共にはぜ締めすることで、下折板屋根材１１とタイトフレーム６とを吊子６３を介して固定する。
【００３２】
なお、この下折板屋根１の取り付けにおいては、はぜ締めによる接合でなくてもよく、例えば、ボルト５３留めや嵌合方式であってもよい。また、本実施形態の折板屋根構造においては、はぜ継ぎ部分の形状を角ハゼ形状としたが、丸ハゼ形状としたものであってもよい。
【００３３】
このようにして形成された下折板屋根１は、流れ方向（例えば軒棟方向）に連続する突条部１５が、流れ方向とは直角な方向に複数並んで形成される。この突条部１５は、図３に示されるように、その頂面１５１から、下折板屋根材１１のはぜ継ぎ片１４同士をはぜ継ぎ固定することで形成されたはぜ継ぎ固定部１６が、上方に向けて突設されている。なお、はぜ継ぎ固定部１６は、突条部１５の長手方向の略全長に亘って形成されている。
【００３４】
本実施形態の二重折板屋根構造は、この下折板屋根１の上に上折板屋根２が葺設される。すなわち下折板屋根１を葺き替えるため、この下折板屋根１上を覆うように上折板屋根２が設置される。
【００３５】
上折板屋根２は、下折板屋根１のはぜ継ぎ固定部１６に取り付けられた支持具５により、下折板屋根１上に支持される。上折板屋根２は、タイトフレーム６の長手方向に並ぶように配置され且つ互いにはぜ継ぎ固定部３３を介して連結された複数の折板連結体３により構成されている。各折板連結体３は、タイトフレーム６の並設方向（つまり流れ方向）に並ぶ複数の上折板屋根材４が接続部２１を介して互いに連結されることで構成されている。
【００３６】
なお以下、必要に応じ、タイトフレーム６の長手方向に並ぶよう配置された折板連結体３を第１の折板連結体３１，第２の折板連結体３２，・・・として区別する。また、第１の折板連結体３１を構成する上折板屋根材４を、図１に示すように水下側から順に、第１の上折板屋根材４１，第２の上折板屋根材４２，第３の上折板屋根材４３として区別し、第２の折板連結体３２を構成する上折板屋根材４を、水下側から順に、第４の上折板屋根材４４、第５の上折板屋根材４５として区別する。
【００３７】
上折板屋根材４は、図４に示されるように、断面略Ｕ字形状をしており、下折板屋根材１１と略同じ断面形状をしている。上折板屋根材４は、平坦部４６と、この平坦部４６の長さ方向に直角な方向の両端から上方に向けて連設された一対の立上部４７と、立上部４７の端縁に設けられた連結片４８とを備えている。上折板屋根材４の立上部４７は、上方ほど対向間の距離が大きくなるよう傾斜しており、下折板屋根１の突条部１５の斜面に沿って配置される。このような上折板屋根材４は、平坦部４６と立上部４７と連結片４８とが、曲げ加工により一体に形成されている。この上折板屋根材４は、流れ方向に隣接する別の上折板屋根材４に接続部２１を介して連結されている。
【００３８】
本実施形態の上折板屋根材４は、少なくとも、第１の上折板屋根材４１と第３の上折板屋根材４３とが同じ長さ寸法Ｌ６で形成され、第４の上折板屋根材４４と第５の上折板屋根材４５とが同じ長さ寸法Ｌ７で形成されている。
【００３９】
接続部２１は、水下側（つまり軒側）に位置する上折板屋根材４と、水上側（つまり棟側）に位置する上折板屋根材４との連結部位である。接続部２１は、水下側に位置する上折板屋根材４（例えば第１の上折板屋根材４１）の水上側の端部を覆うようにして、水上側に位置する上折板屋根材４（例えば第２の上折板屋根材４２）の水下側の端部が配置されることで形成される。このように本実施形態の接続部２１は、上折板屋根材４の端部同士を重ね合わせることで形成されている。接続部２１は、上下に重なった部分に介装された止水材８を有している。
【００４０】
接続部２１には、図１，２に示されるように、流れ方向とは直角な方向に隣接するようにして、流れ方向に連続する上折板屋根材４が配置固定されている。つまり接続部２１における流れ方向とは直角な方向のはぜ継ぎ固定部３３は、端部同士が重合された２枚の上折板屋根材４，４と、これに隣接する１枚の上折板屋根材４とが、はぜ締めされる事で形成されている。なお、図２（ａ）は、第１の上折板屋根材４１及び第２の上折板屋根材４２の接続部２１と、第４の上折板屋根材４４とのはぜ継ぎ固定部３３を示している。また図２（ｂ）は、第４の上折板屋根材４４及び第５の上折板屋根材４５の接続部２１と、第２の上折板屋根材４２とのはぜ継ぎ固定部３３を示している。
【００４１】
本実施形態の第１の折板連結体３１は、所定長さの第１の上折板屋根材４１と所定長さの第２の上折板屋根材４２とが、接続部２１を介して接続され、且つ第２の上折板屋根材４２と所定長さの第３の上折板屋根材４３とが接続部２１を介して接続されて構成されている。これにより第１の折板連結体３１は、上折板屋根材４の平坦部４６及び立上部４７及び連結片４８が、流れ方向の全長に亘って連続する。また、第２の折板連結体３２は、所定長さの第４の上折板屋根材４４と所定長さの第５の上折板屋根材４５とが、接続部２１を介して接続されることで構成されている。第２の折板連結体３２は、第１の折板連結体３１と同様、上折板屋根材４の平坦部４６及び立上部４７及び連結片４８が、流れ方向の略全長に亘って連続する。
【００４２】
本実施形態の二重折板屋根構造は、母屋等７が不規則な中心間距離で配設されたものである。一方、第１の折板材と第３の折板材とは同じ長さで形成され、第４の上折板屋根材４４と第５の上折板屋根材４５とは同じ長さで形成されている。このため本実施形態の二重折板屋根構造は、図１に示されるように、第１の折板連結体３１における接続部２１がタイトフレーム６に対し、平面視において流れ方向にずれて位置している。
【００４３】
支持具５は、図３に示されるように、下折板屋根１のはぜ継ぎ固定部１６に装着される本体部５１と、本体部５１から上方に突出するようにして設けられ且つ上折板屋根材４を固定する吊子片５４とを備えている。
【００４４】
本体部５１は、下折板屋根１の突条部１５から突設されたはぜ継ぎ固定部１６に取り付けられる部分であり、下折板屋根１と上折板屋根２との間に配置される。本体部５１は、水平方向に着脱自在に分割された一対の分割体により構成されている。一対の分割体は、はぜ継ぎ固定部１６の長手方向に直角な方向に貫通する貫通孔５２を有している。本体部５１は、はぜ継ぎ固定部１６の両側に配置され、この状態で貫通孔５２にボルト５３が挿通され、当該ボルト５３が締結されることで取り付けられる。なおボルト５３を締結すると、分割体が互いに近付く方向に移動し、これによりはぜ継ぎ固定部１６を両側から挟持する。
【００４５】
吊子片５４は、本体部５１にボルト５３を介して取り付けられている。吊子片５４は、本体部５１から上方に向けて突出している。本実施形態の吊子片５４は、断面略逆Ｌ字状に形成されており、流れ方向とは直角な方向に隣接する上折板屋根材４間に配置される。吊子片５４は、隣接配置された上折板屋根材４の連結片４８と当該吊子片５４とが三者共にはぜ締めされることで、上折板屋根材４を固定する。
【００４６】
このような構成の支持具５は、本体部５１がはぜ継ぎ固定部１６に装着され、且つ吊子片５４が上折板屋根材４にはぜ締めされることで、下折板屋根１上に上折板屋根２を支持する。これにより支持具５は、一定の間隔を介して下折板屋根１上に上折板屋根２を隔設する。
【００４７】
本実施形態の支持具５は、図１に示されるように、下折板屋根材１１において、タイトフレーム６の存在する部位に取り付けられ、且つ上折板屋根材４の接続部２１を支持する位置であってタイトフレーム６の存在しない部位にも取り付けられる。以下、タイトフレーム６の存在する部位に取り付けられる支持具５を第１の支持具５５とし（図３参照）、接続部２１を支持する箇所であってタイトフレーム６の存在しない部位に取り付けられる支持具５を第２の支持具５６とする（図２参照）。
【００４８】
次に、既に葺設された下折板屋根１の上方に、新設する上折板屋根２を葺設する方法につき説明する。
【００４９】
まず作業者は、平面視で下折板屋根１のはぜ継ぎ固定部１６とタイトフレーム６とが重なる部位（すなわちタイトフレーム６に対応する部位）の全てに第１の支持具５５を配置し固設する。次に、第１の上折板屋根材４１の水下側の端部を下折板屋根１の水下側端部に揃えた状態で、当該第１の上折板屋根材４１を下折板屋根１上に配置する。このとき、第１の上折板屋根材４１の水上側の端部は、第１の支持具５５よりも水上側に位置しており、タイトフレーム６に対応する位置から流れ方向にずれて位置している。次いで作業者は、第１の上折板屋根材４１の水上側の端部の下方に、第２の支持具５６を配設する。
【００５０】
その後、第１の上折板屋根材４１の水上側の端部に、第２の上折板屋根材４２の水下側の端部を上から重ねるようにして、第２の上折板屋根材４２を配置する。その後上記と同様にして、第２の上折板屋根材４２の水上側の端部の下方に第２の支持具５６を配置する。次いで、第２の上折板屋根材４２の水上側端部に、第３の上折板屋根材４３の水下側端部を重ねるようにして、第３の上折板屋根材４３を配設する。これにより第１の折板連結体３１が設置される。
【００５１】
次いで、第１の折板連結体３１に対し、流れ方向とは直角な方向に並設するようにして第２の折板連結体３２を設置する。このとき、第４の上折板屋根材４４と第５の上折板屋根材４５との接続部２１が、第１の上折板屋根材４１と第２の上折板屋根材４２との接続部２１及び第２の上折板屋根材４２と第３の上折板屋根材４３との接続部２１に、流れ方向とは直角な方向に重ならないよう配置される。本実施形態の第４の上折板屋根材４４と第５の上折板屋根材４５との接続部２１は、第１の上折板屋根材４１と第２の上折板屋根材４２との接続部２１と、第２の上折板屋根材４２と第３の上折板屋根材４３との接続部２１との間の略中間に位置するよう構成されている。
【００５２】
そしてこの状態で、流れ方向に沿って順次、連結片４８同士をはぜ継ぎ締結してゆく。なお、このはぜ継ぎ締結の作業には、手動または自動による専用のカシメ工具を使用する。このようにして上折板屋根２を下折板屋根１の上に葺設することができる。
【００５３】
このように本実施形態の二重折板屋根構造は、母屋等７の中心間距離が不規則であるにも拘らず、屋根の強度を確保したまま、第１の上折板屋根材４１と第３の上折板屋根材４３とを同じ長さにでき、また第４の上折板屋根材４４と第５の上折板屋根材４５とを同じ長さにすることができる。すなわち、上折板屋根材４の長さの種類を減らすことができるため、上折板屋根材４の生産性を向上させることができる。
【００５４】
なおこの点について、母屋等７のピッチが不規則である場合の従来の工法では、図６に示されるように、母屋等７のピッチに合わせて折板材の長さを決定していた。これは、上折板屋根材４の接続部２１を支持する支持具５を、タイトフレーム６によって支持するためである。なお、図６に示す例では、少なくとも５種類の長さ寸法（寸法Ｌ１，Ｌ２，Ｌ３，Ｌ４，Ｌ５）の上折板屋根材４が必要となる。
【００５５】
また本実施形態の二重折板屋根構造につき、第４の上折板屋根材４４と第５の上折板屋根材４５とを同じ長さ寸法Ｌ７で形成するだけでなく、さらに第２の上折板屋根材４２をこれらと同じ長さ寸法Ｌ７で形成し、第１の上折板屋根材４１と第３の上折板屋根材４３とを同じ長さ寸法Ｌ６で形成することも可能である。この構成によれば、最低２種類の長さ寸法の上折板屋根材４を形成すればよく、上折板屋根材４の生産性を向上させることができる。しかも、長さの種類が少ないと、施工の際に施工者が紛らわしくなくて、作業効率を向上させることができる。
【００５６】
また本実施形態の二重折板屋根構造によれば、母屋等７のピッチに拘らず上折板屋根材４の寸法を決定することができるため、仮に母屋又は小梁のピッチが一定の建物に対しても、上折板屋根材４の長さを現場ごとに設計して製造する必要がない。すなわち、現場に応じて異なる母屋等７のピッチに上折板屋根材４を適合させる必要がなくなるため、上折板屋根材４を予め大量生産しておくことも可能となる。したがって、本発明の二重折板屋根構造は、母屋等のピッチが異なる建物に限定されるものではない。
【００５７】
また、本実施形態の第１の支持具は、図１のように、上折板屋根材４において接続部２１ではなくそれ以外の部分を支持するものであった。しかし図５に示されるように、接続部２１は、複数存在する接続部２１のうちの一部の接続部２１が、タイトフレーム６上に位置する場合もある（図５（ａ）の中央部分参照）。この場合、この接続部２１は第１の支持具５５により支持される。したがって、本発明の第１の支持具は、接続部又はそれ以外の部分を支持するものであってもよい。
【００５８】
また本実施形態の二重折板屋根構造は、既設折板屋根の下折板屋根１の上に、新設折板屋根の上折板屋根２を葺き替えるものであったが、本発明の二重折板屋根構造は、新設の下折板屋根の上に新設の上折板屋根を葺設する構造に対しても適用可能なものである。なおこの場合、下折板屋根と上折板屋根との間に、断熱材が介装されても、されなくてもどちらでもよい。したがって、下折板屋根が新設であるか又は既設であるかは、必ずしも必要な要件ではない。
【００５９】
また、本実施形態の二重折板屋根構造は、上折板屋根材が４が断面略Ｕ字状となっていたが、本発明における上折板屋根材は、例えば、母屋等の長手方向に沿った方向に連続した断面角波状であってもよく、本実施形態の上折板屋根材の形状に限定されるものではない。
【符号の説明】
【００６０】
１      下折板屋根
１１    下折板屋根材
１２    底面部
１３    立設部
１４    はぜ継ぎ片
１５    突条部
１５１  頂面
１６    はぜ継ぎ固定部
２      上折板屋根
２１    接続部
３      折板連結体
３１    第１の折板連結体
３２    第２の折板連結体
４      上折板屋根材
４１    第１の上折板屋根材
４２    第２の上折板屋根材
４３    第３の上折板屋根材
４４    第４の上折板屋根材
４５    第５の上折板屋根材
４６    平坦部
４７    立上部
４８    連結片
５      支持具
５１    本体部
５２    貫通孔
５３    ボルト
５４    吊子片
５５    第１の支持具
５６    第２の支持具
６      タイトフレーム
６１    谷部
６２    山部
６３    吊子
７      母屋等
【図１】
0005706745.tif 000002
【図２】
0005706745.tif 000003
【図３】
0005706745.tif 000004
【図４】
0005706745.tif 000005
【図５】
0005706745.tif 000006
【図６】
0005706745.tif 000007